(57)【要約】      （修正有）【課題】デジタルオーディオプレーヤは、内蔵ハードディスクに記憶する楽曲ファイルの名前を、楽曲の再生順序管理や、楽曲名等の表示管理に利用する。ユーザが、ファイル名を書き換えて、楽曲の再生順序管理に支障が生じることを防止する。【解決手段】内蔵ハードディスク内の楽曲ファイルに付与する名前は、その拡張子を除く本体を先頭側区分及び末尾側区分に区分けされる。先頭側区分は追い番に係る数値を含ませる。末尾側区分は楽曲情報用のテキストを含ませる。ファイル名の末尾側区分はユーザによる変更を許容するものの、ファイル名の先頭側区分はユーザによる変更を禁止する。ユーザがファイル名を変更しても、先頭側区分は維持されるので、複数の再生ファイルの再生は正しい再生順で行なわれる。【選択図】図２
2008077450.tif 000002
【特許請求の範囲】
【請求項１】
コンテンツ情報を再生するための再生ファイルを記録する再生ファイル記録手段と、
前記再生ファイル記録手段により記録された再生ファイルに対しファイル名を付与するファイル名付与手段と、
を有し、
前記ファイル名は第１のファイル名構成部と第２のファイル名構成部との組み合わせから成り、
前記第１のファイル名構成部のファイル名部分は変更を制限され、
前記第２のファイル名構成部のファイル名部分は変更を許容されていることを特徴とする、ファイル管理装置。
【請求項２】
さらに、
ユーザによるファイル名操作を行うためにファイル名を表示するファイル名表示手段と、
前記ファイル名表示手段が表示するファイル名を変更する際に、ファイル名における入力文字位置を指示するカーソルを表示するカーソル表示手段と、
を有し、
前記カーソル表示手段は、カーソルに前記第２のファイル名構成部のみ指示させることを特徴とする、請求項１記載のファイル管理装置。
【請求項３】
前記ファイル名表示手段は、前記第１のファイル名構成部のファイル名部分を表示しないとともに、前記第２のファイル名構成部のファイル名部分を表示することを特徴とする、請求項２記載のファイル管理装置。
【請求項４】
前記第１のファイル名構成部には、複数のファイル名間で連続的な記載を含むファイル名部分が付与されることを特徴とする、請求項１〜３のいずれかに記載のファイル管理装置。
【請求項５】
前記ファイル名付与手段は、複数のファイル名間の第１のファイル名構成部の連続的なファイル名部分の一部欠落に対して、前記第１のファイル名構成部の変更制限を解除して、複数のファイル名の第１のファイル名構成部に連続的なファイル名部分を再付与することを特徴とする、請求項１〜４のいずれかに記載のファイル管理装置。
【請求項６】
前記ファイル名付与手段は、前記再生ファイルへのファイル名付与に代えて、前記再生ファイルを少なくとも１以上含むフォルダへのフォルダ名付与の手段として適用されることを特徴とする、請求項１〜５のいずれかに記載のファイル管理装置。
【請求項７】
コンテンツ情報を再生するための再生ファイルを記憶装置に記録するステップと、
前記記憶装置に記録された各再生ファイルのファイル名を第１及び第２のファイル名構成部に区分けし、第１のファイル名構成部には連続的な記載を付与し、また第２のファイル名構成部には、再生ファイルの属性に関連付けられた記載を付与するステップと、
ファイル名の変更において、前記第１のファイル名構成部のファイル名部分は変更を制限し、前記第２のファイル名構成部のファイル名部分は変更を許容するステップと、
を有することを特徴とする、ファイル管理方法。
【請求項８】
請求項１〜６のいずれかに記載のファイル管理装置の各手段としてコンピュータを機能させるプログラム。
【発明の詳細な説明】
【技術分野】
【０００１】
本発明は、記憶装置内の楽曲ファイル等の再生ファイルを管理するファイル管理装置、ファイル管理方法及びプログラムに関し、特にファイル名を再生ファイルの管理に利用するファイル管理装置、ファイル管理方法及びプログラムに関するものである。
【背景技術】
【０００２】
ＰＣ（パーソナルコンピュータ）にインストールされるオーディオ編集ソフトでは、リッピングによりＣＤ−ＤＡ（Compact Disc Digital Audio）の楽曲についての楽曲ファイルをＰＣのＨＤ（ハードディスク）等の記憶装置に生成する場合には、例えば、「半角スペース-半角スペース（” - ”）」を区切り子に使って、ファイル名を複数の区分に区分化し、「”トラック番号” - ”アーティスト名” - ”楽曲名” - ”アルバム名”」のように、各区分に楽曲情報を記入したファイル名を各楽曲ファイルに付与する。そして、後の所定アルバムの再生時では、ファイル名の各区分の情報を再生順や表示情報として利用する。
【０００３】
なお、アーティスト名や楽曲名等はＣＤテキストや、インターネット等のＣＤＤＢ（ＣＤデータベース）サーバ等から入手したものであり、今回のリッピング対象のＣＤ−ＤＡがＣＤテキストを有しておらず、また、ＣＤＤＢにも該当の楽曲情報がない場合やＣＤＤＢが利用できない場合には、ファイル名の対応区分はブランク（ｎｕｌｌ）となり、後に、ユーザが適宜、楽曲情報を手入力することになる。
【０００４】
特許文献１は、ＣＤリッピングについて開示するとともに（特許文献１の段落０００２）、リッピングの際、データ源のＣＤ−ＤＡについてアルバム情報がＣＤＤＢに未登録である場合には、楽曲名等の代わりに、連番等の適当な値をオーディオファイルのタグ情報とすること（特許文献１の段落０００４，００２７）、及びそれらオーディオファイルについては後でユーザがタグ情報を書き換えられるようにすること（特許文献１の段落００３２，００３４及び図５）を開示する。
【特許文献１】特開２００４−２４６９３７号公報
【発明の開示】
【発明が解決しようとする課題】
【０００５】
ファイル名に追い番や楽曲名の情報を含ませるようになっている楽曲ファイルに対して、ユーザが手入力により、さらには、オーディオ装置自身が自動的にファイル名を変更することがある。従来のオーディオ装置では、ファイル名の変更になんらの制限が付けられていない。したがって、例えばファイル名内の追い番や区切り子まで変更されてしまうと、ファイル名変更後のアルバム再生時に、アルバム内の各楽曲が正しい順番で再生できなくなる。
【０００６】
特許文献１において連番やアルバム名等を格納するタグ情報は、ファイル名に含まれるものではなく、オーディオデータと共に、ファイル内に格納されるものである（特許文献１の段落００１９及び図３ｂ１，ｂ２）。また、特許文献１のオーディオでは、タグ情報として最初に付与した連番は、仮に記録されるものであり、後にユーザによってアルバム名等により上書きされて、消えてしまい（特許文献１の図４のステップ４３２，４３４）、再生時の再生順番の管理データとして使用されるものではない。
【０００７】
本発明の目的は、記憶装置内の再生ファイルについての所定の管理にそのファイル名を利用するファイル管理装置、ファイル管理方法及びプログラムにおいて、該管理に支障を起こすことなく、ユーザ等によるファイル名変更を保証することである。
【課題を解決するための手段】
【０００８】
本発明のファイル管理装置によれば、ファイル名を複数のファイル名構成部に区分けして、各ファイル名構成部をそれぞれ別の管理系統に割当てて、各ファイル名構成部のファイル名部分は各管理系統の管理データとして利用する。ファイル名部分の変更が管理に支障を与える系統に割当てられたファイル名構成部についてはそのファイル名部分の変更が制限される。ファイル名部分の変更が管理に支障を与えることない系統に割当てられたファイル名構成部についてはそのファイル名部分の変更が許容される。
【０００９】
本発明のファイル管理装置は、コンテンツ情報を再生するための再生ファイルを記録する再生ファイル記録手段と、再生ファイル記録手段により記録された再生ファイルに対しファイル名を付与するファイル名付与手段と、を有している。ファイル名は第１のファイル名構成部と第２のファイル名構成部との組み合わせから成る。第１のファイル名構成部のファイル名部分は変更を制限され、第２のファイル名構成部のファイル名部分は変更を許容されている。
【００１０】
本発明のファイル管理方法は、
コンテンツ情報を再生するための再生ファイルを記憶装置に記録するステップと、
記憶装置に記録された各再生ファイルのファイル名を第１及び第２のファイル名構成部に区分けし、第１のファイル名構成部には連続的な記載を付与し、また第２のファイル名構成部には、再生ファイルの属性に関連付けられた記載を付与するステップと、
ファイル名の変更において、第１のファイル名構成部のファイル名部分は変更を制限し、第２のファイル名構成部のファイル名部分は変更を許容するステップと、
を有している。
【００１１】
本発明のプログラムは、本発明のファイル管理装置の各手段としてコンピュータを機能させる。
【発明の効果】
【００１２】
本発明によれば、ファイル名が第１及び第２のファイル名構成部に区分けされ、第１及び第２のファイル名構成部のファイル名部分は変更をそれぞれ制限及び許容される。結果、所定の管理への支障を回避しつつ、ユーザ等によるファイル名に係る変更を確保できる。
【発明を実施するための最良の形態】
【００１３】
図１はＡＶ（Audio & Visual）ファイルのファイル名管理ソフトを実装する各種装置及び連携関係を示している。ＡＶファイルには、ＭＰ３規格やＷＡＶ規格のようなオーディオファイル、ＪＰＥＧ規格のような画像ファイル、及びＭＰＥＧ規格のような動画ファイルが含まれる。以下、説明の簡略上、ＡＶファイルはオーディオファイルの一種である楽曲ファイルを想定する。
【００１４】
再生機器としてのデジタルオーディオプレーヤ１０、据え置き型オーディオ装置１１及びＰＣ１２は、ハードディスクやフラッシュメモリ等の記憶装置を内蔵し、該記憶装置内に楽曲ファイルを記憶する。デジタルオーディオプレーヤ１０、据え置き型オーディオ装置１１及びＰＣ１２は、記憶装置内の楽曲ファイルを適宜、読み出して、それらの楽曲再生音を自機のスピーカやイヤホンから出力自在としているとともに、記憶装置内の楽曲ファイルに対してファイル名変更等の編集を自機で適宜実施できるようにしている。
【００１５】
据え置き型オーディオ装置１１及びＰＣ１２は、自機のハードディスク装置に記憶されている楽曲ファイルをＳＤメモリカードのような着脱自在のフラッシュメモリへコピー又は移動し、該着脱式フラッシュメモリをデジタルオーディオプレーヤ１０に装着して、デジタルオーディオプレーヤ１０で該着脱式フラッシュメモリ内の楽曲を再生することもできる。さらに、着脱式フラッシュメモリ内の楽曲ファイルについてはファイル名等の編集を据え置き型オーディオ装置１１及びＰＣ１２において行なうことができるようになっている。
【００１６】
デジタルオーディオプレーヤ１０及び据え置き型オーディオ装置１１はケーブル１５を介して相互に接続されるようになっている。ケーブル１５による接続状態では、据え置き型オーディオ装置１１の記憶装置内の楽曲ファイルを暗号化してから、デジタルオーディオプレーヤ１０の記憶装置へ格納したり、ユーザがデジタルオーディオプレーヤ１０の記憶装置内の楽曲ファイルを据え置き型オーディオ装置１１において編集したり、ユーザがデジタルオーディオプレーヤ１０の記憶装置内の楽曲ファイルの楽曲再生音を据え置き型オーディオ装置１１のスピーカから出力したりすることが可能になっている。
【００１７】
同様に、デジタルオーディオプレーヤ１０及びＰＣ１２はＵＳＢケーブルのようなケーブル１６を介して相互に接続されるようになっている。ケーブル１６による接続状態では、ＰＣ１２の記憶装置内の楽曲ファイルを暗号化してから、デジタルオーディオプレーヤ１０の記憶装置へ格納したり、ユーザがデジタルオーディオプレーヤ１０の記憶装置内の楽曲ファイルをＰＣ１２において編集したりすることが可能である。
【００１８】
同様に、据え置き型オーディオ装置１１及びＰＣ１２はＵＳＢケーブルのようなケーブル１７を介して相互に接続されるようになっている。ケーブル１７による接続状態では、据え置き型オーディオ装置１１−ＰＣ１２間で楽曲ファイルを相互に転送し合ったり、ユーザが据え置き型オーディオ装置１１の記憶装置内の楽曲ファイルをＰＣ１２において編集したりすることが可能である。
【００１９】
図２はＣＤテキスト無しＣＤ−ＤＡの楽曲についてリッピング及びその後にユーザによるネーム編集作業が実施される場合のファイル名の変更過程を示している。ＣＤ−ＤＡからのリッピングは、デジタルオーディオプレーヤ１０、据え置き型オーディオ装置１１及びＰＣ１２のどれにおいても行なわれてもよいが、以降では、説明の便宜上、代表して、デジタルオーディオプレーヤ１０を選択して、デジタルオーディオプレーヤ１０の場合について説明する。デジタルオーディオプレーヤ１０では、記憶装置内のファイルをツリー構造で管理する。
【００２０】
説明便宜上の仮定では、リッピング前の記憶装置内には、図２（ａ）に示すように、名前が”ＡＢＣＤ”であるフォルダが１個存在し、かつ該フォルダ内には、ＡＢＣ．ｍｐ３，ｅｆｇ．ｗｍａ，ＨＩＪ．ｄｏｃの３個のファイルが格納されているものとする。なお、ファイル名の拡張子について、ｍｐ３はオーディオのＭＰ３規格のファイルであることを示し、ｗｍａはオーディオのｗｍａ（Windows Media Audio）規格のファイルであることを示し、ｄｏｃはマイクロソフト社のワープロソフトのＷｏｒｄファイルであることを示している。
【００２１】
ＣＤ−ＤＡの楽曲のリッピングに伴い、デジタルオーディオプレーヤ１０の記憶装置内には、図２（ｂ）に示すように、フォルダ名”Ａｌｂｕｍ００１”のフォルダが、フォルダ名”Ｓｐｅｃｉａｌ”のフォルダの下の階層として作成される。フォルダ名”Ａｌｂｕｍ００１”は、デジタルオーディオプレーヤ１０がＣＤ−ＤＡからのリッピング時にフォルダのデフォルト名として付けたフォルダ名であり、もし今回のＣＤ−ＤＡがＣＤテキスト付きである場合には、典型的には、”Ａｌｂｕｍ００１”の代わりに、ＣＤ−ＤＡのアルバム名がフォルダ名となる。なお、フォルダ名”Ｓｐｅｃｉａｌ”のフォルダは、デジタルオーディオプレーヤ１０において記憶装置内に特別のフォルダとして設定しているものとし、デジタルオーディオプレーヤ１０は、楽曲ファイルに係る編集要求や再生要求をユーザから指示されると、最初に、”Ｓｐｅｃｉａｌ”のフォルダにアクセスし、該フォルダから該当の楽曲ファイルを探索するように仕向けられている。
【００２２】
デジタルオーディオプレーヤ１０において採用可能なファイル名付与規格例について説明する。ファイル名について、拡張子を除く部分を本体と呼ぶことにし、ファイル名はその本体において先頭側区分と末尾側区分との２個の区分に区分けされる。固定長方式のファイル名付与規格として、例えば、先頭側区分は、ファイル名本体の１〜８バイトの範囲として定義し、末尾側区分は９バイト以降の範囲と定義することができる。可変長方式のファイル名付与規格では、例えば、所定の区切り子（例：”−”）を設定し、ファイル名の本体において、区切り子より前及び後ろがそれぞれ先頭側区分及び末尾側区分であると識別するようになっていてもよい。
【００２３】
フォルダの各楽曲のデータは、この例では、ｗｍａ規格の楽曲ファイルに変換されて、フォルダ”Ａｌｂｕｍ００１”の中に格納される。各楽曲ファイルは、ＣＤ−ＤＡにおけるトラック順を数値として含むファイル名：ＴＲ００１−ｎｕｌｌ．ｗｍａ，ＴＲ００２−ｎｕｌｌ．ｗｍａ，・・・が付与される。”−”を境に、該境より前が先頭側区分であり、後ろが末尾側区分となっている。
【００２４】
図２及び後述の図３の例では、ファイル名の先頭側区分が、ＣＤ−ＤＡにおけるトラック順に係る数値を含むファイル名部分となっている。また、ファイル名の末尾側区分の”ｎｕｌｌ”は、その文字自体ではなく、空を意味するものとして使用している。デジタルオーディオプレーヤ１０では、先頭側区分に含まれる数値は追い番の管理データとして再生順管理に使用される。また、図２（ｂ）の段階では、各楽曲ファイルの末尾側区分はｎｕｌｌ（空）となっている。
【００２５】
ＣＤテキスト無しＣＤ−ＤＡに基づくリッピングは、図２（ｂ）のファイル名状態で終了する。デジタルオーディオプレーヤ１０は、フォルダ”Ａｌｂｕｍ００１”について全曲再生又は連続再生のユーザ指示を受付けると、該フォルダ内の楽曲ファイルのファイル名の先頭側区分に含まれる追い番に係る数値を検出し、追い番順に各楽曲ファイルの楽曲を再生していく。各楽曲ファイルの楽曲再生中、デジタルオーディオプレーヤ１０のディスプレイには、末尾側区分のファイル名部分に基づき再生楽曲の楽曲名等のテキスト情報が表示されることになっているが、末尾側区分は図２（ｂ）の状態ではｎｕｌｌであるため、このデジタルオーディオプレーヤ１０は、末尾側区分のファイル名部分に係る情報は表示することができず、無表示にするか、又は、その代わりに、先頭側区分のファイル名部分をディスプレイに表示する。
【００２６】
ユーザは、リッピング後、各楽曲ファイルの楽曲の再生中に、適切な楽曲情報をディスプレイに表示させるために、ファイル名を自ら編集する。なお、デジタルオーディオプレーヤ１０をインターネットを介してＣＤＤＢのサーバへ接続して、該ＣＤＤＢから楽曲情報をダウンロードすることにより、ユーザ入力に代えて、自動的に入力することもできる。ユーザによるファイル名の編集は、ファイル名の先頭側区分については禁止され、末尾側区分のみが対象となる。図２（ｃ）はユーザがフォルダ”Ａｌｂｕｍ００１”内の追い番１〜３の楽曲ファイルについてそのファイル名を変更した状態を示している。
【００２７】
図２（ｃ）では、追い番１〜３の楽曲ファイルは、その先頭側区分については無変更のままとされつつ、その末尾側区分については変更され、ファイル名がそれぞれ”ＴＲ００１−ｋａｋｉｋｕｋｅｋｏ．ｗｍａ”，”ＴＲ００２−ｓａｓｉｓｕｓｅｓｏ．ｗｍａ”，”ＴＲ００３−ｔａｔｉｔｕｔｅｔｏ．ｗｍａ”となっている。ファイル名の変更後も、フォルダ”Ａｌｂｕｍ００１”について全曲再生又は連続再生のユーザ指示を受付けた場合には、デジタルオーディオプレーヤ１０は、該フォルダ内の各楽曲ファイルの名前の先頭側区分に含まれる数値から各ファイルの追い番を判断し、追い番順に各楽曲ファイルの楽曲を支障なく再生することができる。また、追い番１〜３の楽曲の再生時には、デジタルオーディオプレーヤ１０のディスプレイには、ファイル名の末尾側区分における”ｋａｋｉｋｕｋｅｋｏ”，”ｓａｓｉｓｕｓｅｓｏ”，”ｔａｔｉｔｕｔｅｔｏ”が再生楽曲情報としてそれぞれ表示されることになる。
【００２８】
ユーザにより入力される各楽曲ファイルの末尾側区分の”ｋａｋｉｋｕｋｅｋｏ”等は、典型的には、各ファイルについてアーティスト名、楽曲名及びアルバム名を、所定の区切り子で区切りながら、所定の順番で入力したものとなっている。すなわち、ファイル名の末尾側区分は、さらに、サブ分割され、各サブ分割ごとに、対応の情報が記入されるようになっている。末尾側区分における入力作業を能率化させるために、ユーザがタブキーを１回、押下すれば、区切り子が自動的に入力されるようになっていてもよい。デジタルオーディオプレーヤ１０は、楽曲ファイルの再生時には、該ファイルの末尾側区分の各サブ区分の内容に基づき楽曲名及びアーティスト名等の楽曲情報を抽出し、ディスプレイに表示する。
【００２９】
図３はＣＤテキスト付きＣＤ−ＤＡについてリッピングを実施した場合のファイル名の変更過程を示している。図３（ａ）及び（ｂ）はそれぞれ図２（ａ）及び（ｂ）と同一である。ＣＤテキスト無しＣＤ−ＤＡのリッピングの場合には、図２（ｂ）のファイル名状態でリッピングが終了した。これに対して、ＣＤテキスト付きＣＤ−ＤＡについてのリッピングでは、図３（ｂ）の後、さらに処理が続行されて、デジタルオーディオプレーヤ１０は、自動的に、各楽曲ファイルの末尾側区分をＣＤテキストに基づき編集して、各ファイル名図３（ｃ）の状態へ変更する。
【００３０】
図３（ｃ）では、各楽曲ファイルの末尾側区分は追い番順に”ＴＲ００１−ｋａｋｉｋｕｋｅｋｏ．ｗｍａ”，”ＴＲ００２−ｓａｓｉｓｕｓｅｓｏ．ｗｍａ”，”ＴＲ００３−ｔａｔｉｔｕｔｅｔｏ．ｗｍａ”．”ＴＲ００４−ｎａｎｉｎｕｎｅｎｏ．ｗｍａ”，”ＴＲ００５−ｈａｈｉｈｕｈｅｈｏ．ｗｍａ”となっている。ファイル名の末尾側区分は、デジタルオーディオプレーヤ１０がＣＤ−ＤＡのＣＤテキストに基づき自動的に入力されるので、図２（ｃ）の手間のかかる手作業入力が省略される。
【００３１】
図４はファイル名リネーム中の内部メモリ２３をポインタ２４と共に示している。図４（ａ）は編集開始時の状態で内部メモリ２３の内容を示しており、図４（ｂ）は４文字だけ入力確定した時の状態で内部メモリ２３の内容を示している。該内部メモリ２３は、図４の状態では、上書きモードではなく、挿入モードになっている。
【００３２】
ファイル名のリネームは、デジタルオーディオプレーヤ１０が自動的に又はユーザが行なう。前述の図２（ｂ）から図２（ｃ）へのリネームはユーザが行なう例であり、また、図３（ｂ）から図３（ｃ）へのリネームはデジタルオーディオプレーヤ１０が自動的に行なう例である。リネーム後のファイル名のデータが内部メモリ２３に蓄積され、リネームの確定しだい、デジタルオーディオプレーヤ１０の記憶装置内の該当ファイルの名前が内部メモリ２３のデータに基づき変更される。
【００３３】
ファイル名のリネーム開始に伴い、デジタルオーディオプレーヤ１０の記憶装置からリネーム対象のファイル名のデータが読み出されて、内部メモリ２３に挿入される。図４の例では、図２（ｂ）又は図３（ｂ）の記憶状態で、フォルダ”Ａｌｂｕｍ００１”のファイル名”ＴＲ００１−ｎｕｌｌ．ｗｍａ”が今回のリネーム対象となっていることを想定しており、内部メモリ２３には、ＴＲ００１−．ｗｍａのバイトコードが挿入されている。
【００３４】
ポインタ２４は、次の入力文字が内部メモリ２３に入力される文字桁を指示するように、所定のカーソル制御手段（図示せず）により制御される。ポインタ２４は、１文字桁（１バイト）単位で左右方向へシフトするとともに、内部メモリ２３の文字桁の内、入力を禁止する文字桁はスキップする。なお、全角文字は２バイトであり、全角文字の入力及び削除では、ポインタ２４は２バイトずつ移動する。入力禁止の文字桁は、先頭側区分及び末尾側区分について、固定長方式のファイル名付与規格では固定されているが、可変長方式のファイル名付与規格では、ファイル名における区切り文字の位置に基づいて、そのつど変化する。区切り文字位置の文字桁がユーザ設定により適宜調整できるようにしてもよい。
【００３５】
前述したように、ファイル名の先頭側区分のリネームは禁止されているので、ポインタ２４は、図４（ａ）では、７桁目の”．”を指している。結果、先頭側区分のリネームは、変更されない。ユーザが、後述のファイル名変更ウィンドウ２９（図５）において”ｋａｋｉ”まで、入力し、そこまての入力分の確定操作を行なわれたと仮定すると、図４（ｂ）に示すように、内部メモリ２３には、”ｋａｋｉ”が順番に入力されて、ポインタ２４は、”．ｗｍａ”と共に、右へ１文字桁ずつ移動して、１１桁目の”．”を指示する。なお、該デジタルオーディオプレーヤ１０では、ファイル名の本体と拡張子とを分けているピリオド以降の部分もリネーム禁止になっている。こうして、ファイル名本体の末尾側区分だけが変更される。
【００３６】
図２（ｃ）及び図３（ｃ）では、ファイル名の末尾側区分の変更は、”ｋａｋｉ”で終了せず、その後、”ｋｕｋｅｋｏ”が追加入力され、ファイル名の末尾側区分は、ｎｕｌｌから最終的に”ｋａｋｉｋｕｋｅｋｏ”へ変更されたことを示している。その場合、図４のポインタ２４が最後に指示している文字桁は、”ｋｏ”の次の”．”の文字桁となっている。
【００３７】
図５及び図６はユーザがファイル名をリネームする時にデジタルオーディオプレーヤ１０のディスプレイに表示される全体表示方式ファイル名変更ウィンドウ２９及び一部表示方式ファイル名変更ウィンドウ３３を示している。すなわち、図５のファイル名変更ウィンドウ２９では、ファイル名の末尾側区分だけでなく、リネームが制限されている先頭側区分及び拡張子を含めてファイル名全体が表示されているのに対し、図６のファイル名変更ウィンドウ３３では、先頭側区分及び拡張子は表示されることなく、リネームを許容されている末尾側区分のみが表示される。ファイル名変更ウィンドウ２９，３３共に、ユーザ入力は、上書きモードではなく、挿入モードであることを想定している。
【００３８】
ファイル名変更ウィンドウ２９，３３に対応して所定のバッファ（図示せず）が存在し、ユーザが文字キーより入力する文字は１個ずつ該バッファに格納されるとともに、該バッファの格納されている文字がファイル名変更ウィンドウ２９，３３に表示される。該バッファには、初期時には、図４（ａ）の内部メモリ２３と同一のデータが格納される。そして、図５のファイル名変更ウィンドウ２９の場合には、該バッファの全文字データに対応する文字がファイル名変更ウィンドウ２９に表示されるのに対し、図６のファイル名変更ウィンドウ３３の場合には、該バッファの全文字データの内、ファイル名の変更許容ファイル名部分に係る末尾側区分の文字データのみがファイル名変更ウィンドウ３３に表示される。
【００３９】
図５（ａ）及び図６（ａ）は図４（ａ）に対応している。カーソル３０は、ファイル名変更ウィンドウ２９，３３において、ユーザが次に入力する文字桁を指示している。リネーム開始直後及びユーザがファイル名変更ウィンドウ２９の表示文字に対して入力確定した直後におけるポインタ２４（図４）とカーソル３０（図５及び図６）との指示文字桁は一致しているが、ユーザがファイル名変更ウィンドウ２９，３３において文字を入力した後、それら入力文字を確定する前の状態では、ポインタ２４（図４）とカーソル３０（図５及び図６）との指示文字桁はずれる。
【００４０】
図５（ａ）では、カーソル３０は、変更を許容されているファイル名部分としてファイル名の末尾側区分の最初の文字桁としての”．”を指示している。図６（ａ）では、ファイル名変更ウィンドウ３３には、ｎｕｌｌのために、文字がまったく表示されていないが、カーソル３０は、表示文字列の最初の文字桁を指示している。
【００４１】
図５（ｂ）及び図６（ｂ）は、ユーザが今回の入力文字列”ｋａｋｉｋｕｋｅｋｏ”の内、”ｋａｋｉ”まで、ファイル名変更ウィンドウ２９，３３に入力した状態を示している。ファイル名変更ウィンドウ２９，３３への文字入力の進行に伴い、カーソル３０は、１文字桁ずつ右へ移動する。
【００４２】
挿入モードであるため、ファイル名変更ウィンドウ２９の場合には、”．”の移動に伴い、”ｗｍａ”も移動する。なお、ファイル名変更ウィンドウ２９の場合には、上書きモードであっても、”．ｗｍａ”が変更されことは禁止されており、カーソルが変更制限ファイル名部分としての”．ｗｍａ”のいずれの文字箇所を指示することはない。
【００４３】
もし、ユーザが図５（ｂ）及び図６（ｂ）の文字入力状態において確定キーを操作すると、バッファのデータが内部メモリ２３（図４）にコピーされ、内部メモリ２３の内容は図４（ｂ）に示すものになる。
【００４４】
ユーザは、デジタルオーディオプレーヤ１０内の楽曲ファイルを使い込むに連れて、不要な楽曲ファイルを記憶装置から削除することがある。図２及び図３で説明したファイル名の先頭側区分では、追い番に係る名前部分は００１，００２，・・・というように、３桁の数値となっているので、追い番は最大９９９までしか割り振ることができない。削除された楽曲ファイルの追い番は欠番となり、このような欠番が増えると、記憶装置内の楽曲ファイルの個数が、追い番最大値９９９以内であるにもかかわらず、後ろの方の楽曲ファイルに追い番を割り振ることができなくなる。
【００４５】
デジタルオーディオプレーヤ１０では、これに対処するため、最後の追い番が最大値近辺になると、適宜、追い番の付け直し（「リフレッシュ」とも呼ばれる。）が、ユーザ指示に基づき又は自動的に行なわれるようになっている。追い番の付け直し処理期間は、当然に、ファイル名の先頭側区分の変更制限が解除される。そして、記憶装置に残っているファイルについて、追い番の順番が維持されつつ、かつ追い番が連続するように、各楽曲ファイルの先頭側区分の追い番部分が変更される。これにより、追い番の欠落は解消される。
【００４６】
フォルダに対してもフォルダ名を先頭側区分と末尾側区分とに区分けし、先頭側区分及び末尾側区分のフォルダ名部分の変更についてそれぞれ制限及び許容の措置を採ることができる。例えば、フォルダ名の先頭側区分には追い番に係る数値を含む名前を付与し、フォルダ名の末尾側区分には、アルバム名やアーティスト名を含む名前を付与する。フォルダ名の先頭側区分の部分が、ユーザによるフォルダ名の変更にもかかわらず、維持されるので、複数のフォルダを一気に再生する場合には、フォルダの再生順を保持することができる。
【００４７】
図７はリッピング処理のフローチャートである。該リッピング処理は図２（ａ）→図２（ｂ）及び図３（ａ）→図３（ｂ）→図３（ｃ）のファイル名変更過程に対応している。Ｓ３５では、追い番に係る数値を含むファイル名を各楽曲ファイルに付与する。Ｓ３５において、Ｔｒ０１，Ｔｒ０２，・・・は、ＣＤ−ＤＡにおける各楽曲のトラック番号を示し、ＴＲ００１−ｎｕｌｌ．ｗｍａ，ＴＲ００２−ｎｕｌｌ．ｗｍａ，・・・はファイル名を示している。
【００４８】
Ｓ３６では、デジタルオーディオプレーヤ１０におけるＣＤテキストのコピー機能がＯＮになっているか否かを判定する。ユーザは、ＣＤテキストのコピー機能のＯＮ，ＯＦＦを選択することができる。Ｓ３６における判定が正であれば、Ｓ３７へ進み、否であれば、リッピング処理を終了する。
【００４９】
Ｓ３７では、今回のＣＤ−ＤＡがＣＤテキスト付きであるか否かを判定し、正であれば、Ｓ３８へ進み、否であれば、リッピング処理を終了する。Ｓ３８では、各楽曲ファイルのファイル名において、追い番に係るファイル名部分の後ろに、すなわち末尾側区分に、対応するＣＤテキストを含むファイル名部分を追加する。
【００５０】
図８はファイル名変更処理のフローチャートである。ファイル名変更処理は、図２（ｂ）→図２（ｃ）及び図３（ｂ）→図３（ｃ）の他、図２及び図３において、フォルダ”ＡＢＣＤ”に属するファイル（例：ＨＩＪ．ｄｏｃ）の名前変更にも適用される。
【００５１】
Ｓ４１では、変更対象のファイル名に、追い番に係る数値部分が含まれているか否かを判定する。そして、判定が正であるならば、Ｓ４２へ進み、否であるならば、Ｓ４３へ進む。
【００５２】
Ｓ４２では、内部メモリ２３（図４）におけるポインタ２４の位置をファイル名の先頭側区分の次、すなわち末尾側区分の先頭に設定する。Ｓ４３では、内部メモリ２３におけるポインタ２４の位置をファイル名の先頭に設定する。
【００５３】
Ｓ４４では、ファイル名の変更を行なう。ファイル名の変更は、内部メモリ２３におけるポインタ２４による制御により、変更を制限されている文字桁（例：ファイル名の先頭側区分）には、行なわれず、変更を許容されている文字桁（例：ファイル名の末尾側区分）のみに行なわれる。したがって、追い番に係る数値を先頭側区分に含んでいるファイル名は、ファイル名変更にもかかわらず、先頭側区分の数値は変更されず、結果、フォルダ内楽曲再生があった場合には、楽曲の再生順番が保持される。
【００５４】
図９はファイル管理装置５０のブロック図である。図１のデジタルオーディオプレーヤ１０、据え置き型オーディオ装置１１及びＰＣ１２はファイル管理装置５０の具体例である。ファイル管理装置５０の処理は図２及び図３で説明した処理を包摂するものである。
【００５５】
ファイル管理装置５０は、再生ファイル記録手段５１及びファイル名付与手段５２を有している。再生ファイル記録手段５１は、コンテンツ情報を再生するための再生ファイル５８を記憶装置５９に記録する。ファイル名付与手段５２は、再生ファイル記録手段５１により記録された再生ファイル５８に対しファイル名を付与する。
【００５６】
ファイル名は第１のファイル名構成部と第２のファイル名構成部との組み合わせから成る。第１のファイル名構成部のファイル名部分は変更を制限されるものであり、また、第２のファイル名構成部のファイル名部分は変更を許容されるものとなっている。
【００５７】
第１及び第２のファイル名構成部の具体例はファイル名本体における前述の先頭側区分及び末尾側区分である。第１及び第２のファイル名構成部は、再生ファイルにそれぞれ１個ずつではなく、それぞれ複数、設定してもよい。また、第２のファイル名構成部が、第１のファイル名構成部より先頭側に来てもよい。
【００５８】
再生ファイル５８には、少なくとも、楽曲ファイル、画像ファイル及び動画ファイルが含まれる。第２のファイル名構成部において、再生ファイル５８の属性に関連付けられた記載とは、例えば、ＣＤテキストに含まれる楽曲名や、アルバム名や、アーティスト名である。ユーザが、各再生ファイル５８に対して自分専用のメモを付けたいときに、第２のファイル名を利用することも可能である。
【００５９】
ファイル名の変更にもかかわらず、第１のファイル名構成部のファイル名部分の変更が制限される結果、第１のファイル名構成部のファイル名部分を使用する再生ファイル管理への支障が排除される。また、第２のファイル名構成部のファイル名部分の変更の許容により、ファイル名の変更が可能になり、ユーザが好みの情報をファイル名に付与することができる。
【００６０】
好ましいファイル管理装置５０はさらにファイル名表示手段５３及びカーソル表示手段５４を有している。ファイル名表示手段５３は、ユーザによるファイル名操作を行うためにファイル名を表示器６０に表示する。カーソル表示手段５４は、ファイル名表示手段５３が表示するファイル名を変更する際に、ファイル名における入力文字位置を指示するカーソルを表示する。カーソル表示手段５４は、カーソルに第２のファイル名構成部のみ指示させる。
【００６１】
ユーザは、表示器６０内のファイル名におけるカーソルを見て、ファイル名における入力制限の範囲を知ることができるとともに、次の入力文字がファイル名のどの位置に入力されるかを知ることができる。
【００６２】
例えば、ファイル名表示手段５３は、第１のファイル名構成部のファイル名部分を表示しないとともに、第２のファイル名構成部のファイル名部分を表示する。これにより、変更が制限されているファイル名部分は表示器６０から隠されるので、ユーザは、能率的に、変更後のファイル名を編集できる。なお、前述の図５及び図６は、ファイル名表示手段５３が表示器６０にファイル名全体を表示する例及びファイル名の内、変更が供与されている第２のファイル名構成部のファイル名部分のみを表示する例である。
【００６３】
典型的には、第１のファイル名構成部には、複数のファイル間で連続的な記載を含むファイル名部分が付与される。第１のファイル名構成部における連続的な記載とは、例えば、連続する数値（例：００１，００２，００３，・・・）、連続する文字（例１：ａ，ｂ，ｃ，・・・。例２：あ、い、う、・・・）、及びそれらの混在（例：ａ０１，ａ０２，・・・，ａ９９，ｂ０１，ｂ０２，・・・ｂ９９，ｃ０１，・・・）である。
【００６４】
好ましくは、このような連続的な記載は、複数の再生ファイル５８についての所定の処理順番に係る記載である。所定の処理順番とは、例えば、ＣＤ−ＤＡからのリッピングの際、ユーザがリッピング順を未指定としたときのデフォルトのリッピング順、すなわちＣＤ−ＤＡにおけるトラック番号順や、ユーザがリッピング順を指定したときのその指定順、記憶装置５９への再生ファイル５８の記録順（該記録順は、通常は、リッピング順と同一である。）である。
【００６５】
第１のファイル名構成部のファイル名部分は、例えば、複数の再生ファイル５８についてのソートの管理データとして使用される。ソート管理データとして例えば楽曲の再生順を規定する追い番がある。
【００６６】
第２のファイル名構成部は、例えば、再生ファイル５８のコンテンツ情報のテキストデータとされる。このようなテキストデータの具体例には、ＣＤテキストに含まれる楽曲名、アーティスト名及びアルバム名がある。さらに、ユーザによるコンテンツのメモ書きを第２のファイル名構成部に含めてもよい。
【００６７】
ユーザは不要な再生ファイル５８を適宜削除することがある。これに伴い、リッピング当初は、第１のファイル名構成部のファイル名部分について、記載が連続的となっていたにもかかわらず、部分的に欠落した不連続なものとなる。また、第１のファイル名構成部についての文字数の制約から、連続的な記載には最大値の制限があり、再生ファイル５８に付与する第１のファイル名が枯渇することが起こり得る。
【００６８】
これに対処し、ファイル名の第１のファイル名構成部について、連続的な記載の欠落が適当に大きくなった時点で、不連続を解消するべく、第１のファイル名構成部のファイル名部分を再付与することが望まれる。好ましくは、ファイル名付与手段５２は、複数の再生ファイル間の第１のファイル名構成部の連続的なファイル名部分の一部欠落に対して、第１のファイル名構成部の変更制限を解除して、複数のファイルの第１のファイル名構成部に連続的なファイル名部分を再付与する。なお、追い番等は、記憶装置５９内のフォルダごとに独立に設定してもよいし、記憶装置５９全体で通しの追い番を設定してもよい。
【００６９】
ファイル名付与手段５２は、再生ファイル５８へのファイル名付与に代えて、再生ファイル５８を少なくとも１以上含むフォルダへのフォルダ名付与の手段として適用されてもよい。
【００７０】
ファイル管理方法７０について、図１０及び図１１のフローチャートに基づき説明する。図１０はファイル管理方法７０におけるファイル名記録ルーチンのフローチャート、図１１はファイル管理方法７０におけるファイル名変更ルーチンのフローチャートである。ファイル名記録ルーチン（図１０）は、例えばリッピング時のように、記憶装置５９へ新規の再生ファイル５８を記録する時に起動する。
【００７１】
ファイル名変更ルーチン（図１１）は、例えば、ＣＤテキスト付きＣＤ−ＤＡからリッピングを行なう場合に、ＣＤテキストをファイル名に含ませる時とか、リッピング後に、ユーザがファイル名のリネームを行なう時とかに起動する。前述した図２（ｂ）→図２（ｃ）の過程は後者の例であり、図３（ｂ）→図３（ｃ）は前者の例である。
【００７２】
再生ファイル記録ルーチン（図１０）において、Ｓ７１では、コンテンツ情報を再生するための再生ファイル５８を記憶装置５９に記録する。Ｓ７２では、記憶装置５９に記録された各再生ファイル５８のファイル名を第１及び第２のファイル名構成部に区分けし、第１のファイル名構成部には連続的な記載を付与し、また第２のファイル名構成部には、再生ファイル５８の属性に関連付けられた記載を付与する。
【００７３】
ファイル名変更ルーチン（図１１）は、ファイル名の変更において、第１のファイル名構成部のファイル名部分は変更を制限し、第２のファイル名構成部のファイル名部分は変更を許容する。
【００７４】
すなわち、Ｓ７６では、今回のファイル名変更が第１のファイル名構成部のファイル名部分についてのものであるか否かを判定し、判定が正であれば、Ｓ７７へ進み、否であれば、Ｓ７８へ進む。Ｓ７７では、第１のファイル名構成部のファイル名部分の変更を制限する。ファイル名部分の変更の制限とは、例えば、変更の禁止である。第１のファイル名構成部のファイル名部分について、全面的な変更制限とせずに、追い番等の連続的記載以外の部分については変更を許容する部分的な変更制限にしてもよい。
【００７５】
Ｓ７８では、今回のファイル名変更が第２のファイル名構成部のファイル名部分についてのものであるか否かを判定し、判定が正であれば、Ｓ７９へ進み、否であれば、該ルーチンを終了する。Ｓ７９では、第２のファイル名の変更を許容する。
【００７６】
本発明を適用したプログラムは、コンピュータをファイル管理装置５０の各手段として機能させる。本発明を適用した別のプログラムは、ファイル管理方法７０の各ステップをコンピュータに実行させる。
【００７７】
本発明を各種具体的形態について説明したが、本発明は、これに限定されるものではなく、発明の要旨を逸脱しない範囲で、各種具体的形態における各構成要素を変形（削除も含む。）して具体化できる。また、各種具体的形態間において、構成要素を置換したり、各種具体的形態の複数の構成要素を組み合わせたりすることにより、種々の発明を形成することもできる。
【図面の簡単な説明】
【００７８】
【図１】ＡＶファイルのファイル名管理ソフトを実装する各種装置及び連携関係を示す図である。
【図２】ＣＤテキスト無しＣＤ−ＤＡの楽曲についてリッピング及びその後にユーザによるネーム編集作業が実施される場合のファイル名の変更過程を示す図である。
【図３】ＣＤテキスト付きＣＤ−ＤＡについてリッピングを実施した場合のファイル名の変更過程を示す図である。
【図４】ファイル名リネーム中の内部メモリをポインタと共に示す図である。
【図５】ユーザがファイル名をリネームする時にデジタルオーディオプレーヤのディスプレイに表示される全体表示方式ファイル名変更ウィンドウを示す図である。
【図６】ユーザがファイル名をリネームする時にデジタルオーディオプレーヤのディスプレイに表示される一部表示方式ファイル名変更ウィンドウを示す図である。
【００７９】
【図７】リッピング処理のフローチャートである。
【図８】ファイル名変更処理のフローチャートである。
【図９】ファイル管理装置のブロック図である。
【図１０】ファイル管理方法におけるファイル名変更ルーチンのフローチャートである。
【図１１】ファイル管理方法におけるファイル名変更ルーチンのフローチャートである。
【符号の説明】
【００８０】
５０：ファイル管理装置、５１：再生ファイル記録手段、５２：ファイル名付与手段、５３：ファイル名表示手段、５４：カーソル表示手段、５８：再生ファイル、５９：記憶装置、６０：表示器、７０：ファイル管理方法
【図１】
2008077450.tif 000003
【図２】
2008077450.tif 000004
【図３】
2008077450.tif 000005
【図４】
2008077450.tif 000006
【図５】
2008077450.tif 000007
【図６】
2008077450.tif 000008
【図７】
2008077450.tif 000009
【図８】
2008077450.tif 000010
【図９】
2008077450.tif 000011
【図１０】
2008077450.tif 000012
【図１１】
2008077450.tif 000013